(57)【特許請求の範囲】
【請求項１】
レンズ鏡筒であって、
固定枠と、
前記固定枠を収容し、光軸を中心に回転可能である回転筒と、
被写体とは反対側において前記固定枠の端部に設けられ、コネクタ部及び光軸方向に沿って形成されるガイド孔を有するベース部材と、
前記固定枠の内壁に沿って延び、前記ベース部材の前記ガイド孔に挿通され、前記ベース部材の前記コネクタ部に接続されるフレキシブル基板と、
前記固定枠の内部に収容され、光軸方向に回転規制された状態で移動可能であり、前記フレキシブル基板が接続された電子部品を有する移動枠と、
を備え、
前記ガイド孔の開口の大きさは、光軸方向から見て、前記固定枠の内壁によって規定され、
前記固定枠の内壁は、光軸方向から見て、前記ガイド孔の内部に位置する、
レンズ鏡筒。
【請求項２】
前記移動枠は、光軸方向に沿って突出する支持壁を、有し、
前記支持壁は、前記フレキシブル基板を固定する、
請求項１に記載のレンズ鏡筒。
【請求項３】
前記移動枠は、光軸方向に沿って突出する支持壁を、有し、
前記支持壁は、前記フレキシブル基板を固定し、
前記フレキシブル基板は、被写体側に凸状に設けられる湾曲部を、有する、
請求項１に記載のレンズ鏡筒。
【請求項４】
前記移動枠は、光軸方向に沿って突出する支持壁を、有し、
前記支持壁は、前記フレキシブル基板を固定し、
前記フレキシブル基板は、被写体側に凸状に設けられる湾曲部を、有し、
前記ベース部材は、光軸方向に沿ってガイド壁を、有し、
前記ガイド壁は、前記フレキシブル基板を前記固定枠側にガイドする、
請求項１に記載のレンズ鏡筒。
【請求項５】
前記ガイド孔を塞ぐカバー部、
をさらに備える請求項１に記載のレンズ鏡筒。
【請求項６】
前記回転筒と前記ベース部材との間に設けられる環バネ、
をさらに備え、
前記ベース部材は、光軸方向に沿ってガイド壁を、有し、
前記ベース部材において、前記ガイド孔は、前記ガイド壁及び前記環バネが設けられる箇所との間に形成される、
請求項１に記載のレンズ鏡筒。
【請求項７】
前記コネクタ部は、前記ベース部材の側面に設けられ、
前記ベース部材における被写体とは反対側の面には、突起が設けられ、
前記フレキシブル基板は、前記ベース部材の前記突起によって、位置規制される、
請求項１に記載のレンズ鏡筒。
【請求項８】
前記固定枠には、前記フレキシブル基板を保持可能な係合部が、形成され、
前記ベース部材の前記ガイド孔は、被写体と反対側において前記固定枠の係合部に対向して配置される、
請求項１に記載のレンズ鏡筒。
【発明の詳細な説明】
【技術分野】
【０００１】
ここに開示された技術は、筐体の内部の電子部品を外部の部材に接続するためのフレキシブル基板を備えるレンズ鏡筒に関する。
【背景技術】
【０００２】
従来、筐体の内部の電子部品を外部の部材に接続するためのフレキシブル基板を備えるレンズ鏡筒が知られている。
特許文献１には、フレキシブル基板が、マウント部に設けられた貫通孔を通された構成が開示されている。
【先行技術文献】
【特許文献】
【０００３】
【特許文献１】特開２００４−１６３７４８号公報
【発明の概要】
【発明が解決しようとする課題】
【０００４】
フレキシブル基板を貫通孔から通す作業は煩雑であり、作業効率が悪い。
ここに開示された技術は、上記の問題を解決すべく、筐体の内部の電子部品と外部の部材との電気的接続が容易なレンズ鏡筒を提供することを目的とする。
【課題を解決するための手段】
【０００５】
上記目的は、以下のレンズ鏡筒によって達成できる。本レンズ鏡筒は、固定枠と、回転筒と、ベース部材と、フレキシブル基板と、移動枠とを、備える。回転筒は、固定枠を収容し、光軸を中心に回転可能である。ベース部材は、被写体とは反対側において固定枠の端部に設けられる。ベース部材は、コネクタ部及び光軸方向に沿って形成されるガイド孔を、有する。フレキシブル基板は、固定枠の内壁に沿って延び、ベース部材のガイド孔に挿通され、ベース部材のコネクタ部に接続される。移動枠は、固定枠の内部に収容され、光軸方向に回転規制された状態で移動可能である。移動枠は、フレキシブル基板が接続された電子部品を、有する。ここでガイド孔の開口の大きさは、光軸方向から見て、固定枠の内壁によって規定される。また、固定枠の内壁は、光軸方向から見て、ガイド孔の内部に位置する。
【発明の効果】
【０００６】
ここに開示された技術によれば、筐体の内部の電子部品と外部の部材との電気的接続が容易なレンズ鏡筒を提供することができる。
【図面の簡単な説明】
【０００７】
【図１】レンズ鏡筒を前方から見た斜視図
【図２】レンズ鏡筒を後方から見た斜視図
【図３】レンズ鏡筒の分解斜視図
【図４】モータユニットの構成を示す斜視図
【図５】第３移動枠を前方から見た斜視図
【図６】第３移動枠を後方から見た斜視図
【図７】固定枠を後方から見た斜視図
【図８】図７の矢印Ｐから見た固定枠の部分拡大図
【図９】ベース部材を前方から見た斜視図
【図１０】ベース部材を後方から見た斜視図
【図１１】固定枠への第３移動枠の組み付け工程を説明するための斜視図
【図１２】係合部へのＦＰＣの係合工程を説明するための斜視図
【図１３】固定枠への第４移動枠の組み付け工程を説明するための斜視図
【図１４】固定枠へのモータユニットの取付け工程を説明するための斜視図
【図１５】固定枠へのモータユニットの取付け工程を説明するための斜視図
【図１６】第１及び第２支持ボスへのフレキシブル基板の取付け工程を説明するための斜視図
【図１７】回転筒への固定枠の組み付け工程を説明するための斜視図
【図１８】固定枠へのベース部材の組み付け工程を説明するための斜視図
【図１９】固定枠へのベース部材の組み付け工程を説明するための斜視図
【図２０】組立体の断面図
【図２１】ベース基板へのＦＰＣの接続工程を説明するための斜視図
【図２２】組立体の断面図
【図２３】ベース基板へのフレキシブル基板の接続工程を説明するための斜視図
【図２４】図２３に示す組立体からベース基板を取り外した状態を示す平面図
【図２５】固定枠への第１移動枠および第２移動枠の組み付け工程を説明するための斜視図
【図２６】沈胴状態におけるレンズ鏡筒の断面図
【図２７】貫通孔１２７の他の構成を示す斜視図
【発明を実施するための形態】
【０００８】
《レンズ鏡筒１００の概略構成》
実施形態に係るレンズ鏡筒１００の概略構成について、図面を参照しながら説明する。図１は、レンズ鏡筒１００を前方から見た斜視図である。図２は、レンズ鏡筒１００を後方から見た斜視図である。図３は、レンズ鏡筒１００の分解斜視図である。
なお、本実施形態において、「前」「後」とは、被写体に正対するカメラ（カメラ本体とレンズ鏡筒を含む）を基準とする用語であり、被写体側を「前」と表現し、被写体と反対側を「後」と表現する。
【０００９】
図１〜図３に示すように、レンズ鏡筒１００は、光学系Ｌと、レンズ筐体１１０と、ベース部材１２０と、撮像素子ユニット１３０と、モータユニット１４０と、を備える。レンズ鏡筒１００は、カメラの一部品（交換式のものを含む）であり、図示されないカメラ本体に装着される。
（光学系Ｌ）
光学系Ｌは、図３に示す撮像素子１３２上に被写体の光学像を形成する。光学系Ｌは、レンズ筐体１１０の内部に支持される。図３に示すように、光学系Ｌは、第１レンズ群ＬＧ１と、第２レンズ群ＬＧ２と、第３レンズ群ＬＧ３と、第４レンズ群ＬＧ４と、を有する。
【００１０】
（レンズ筐体１１０）
レンズ筐体１１０は、内部に光学系Ｌを支持している。レンズ筐体１１０は、円筒形の外形を有する。図１に示すように、レンズ筐体１１０の前側開口は光学系Ｌによって覆われ、図２に示すように、レンズ筐体１１０の後側開口はベース部材１２０によって覆われている。図３に示すように、レンズ筐体１１０は、第１移動枠１１１と、第２移動枠１１２と、第３移動枠１１３と、第４移動枠１１４と、固定枠１１５と、回転筒１１６と、を有する。
【００１１】
第１移動枠１１１は、レンズ筐体１１０を構成する他の部品を収容する筒状部材である。第１移動枠１１１は、第１レンズ群ＬＧ１を支持している。
第２移動枠１１２は、固定枠１１５の内部に収容されている。第２移動枠１１２は、第２レンズ群ＬＧ２を支持する。
第３移動枠１１３は、固定枠１１５の内部において第２移動枠１１２の後方に収容されている。第３移動枠１１３は、第３レンズ群ＬＧ３を支持する。第３移動枠１１３の詳細構成については後述する。
【００１２】
第４移動枠１１４は、固定枠１１５の内部において第３移動枠１１３の後方に収容されている。第４移動枠１１４は、第４レンズ群ＬＧ４を支持する。
固定枠１１５は、第２移動枠１１２、第３移動枠１１３および第４移動枠１１４を収容する筒状部材である。固定枠１１５は、第２移動枠１１２、第３移動枠１１３および第４移動枠１１４を、光軸方向に可動であり、かつ、光軸を中心として回転しないように支持している。固定枠１１５の詳細構成については後述する。
【００１３】
回転筒１１６は、固定枠１１５を収容する筒状部材である。回転筒１１６は、光軸を中心として回転可能である。回転筒１１６は、外周面に形成される複数のカム溝を有している。複数のカム溝には、第１移動枠１１１、第２移動枠１１２および第３移動枠１１３それぞれのカムフォロアが係合されており、各カムフォロアが各カム溝内を移動する。これによって、第１移動枠１１１、第２移動枠１１２および第３移動枠１１３のそれぞれが光軸方向に駆動される。
【００１４】
（ベース部材１２０）
ベース部材１２０は、レンズ筐体１１０の後端部を支持している。図３に示すように、ベース部材１２０は、蓋本体１２１と、ベース基板１２２と、ＤＣモータ１２３と、を有する。
蓋本体１２１は、コップ形の外形を有している。蓋本体１２１は、レンズ筐体１１０の後端部に嵌合された状態でビス留めされる。
【００１５】
ベース基板１２２は、柔軟性を有するフレキシブル基板である。ベース基板１２２の表面および内部には、配線が形成されている。ベース基板１２２は、蓋本体１２１の後ろ側（すなわち、レンズ筐体１１０を支持する側と反対側）に配置される。ベース基板１２２は、図３に示すモータユニット１４０のフレキシブル基板１４２と、図示しないカメラ本体の制御部と、に電気的に接続される。ベース基板１２２は、カメラ本体の制御部から出力される電気信号をフレキシブル基板１４２に伝達する。
【００１６】
ＤＣモータ１２３は、蓋本体１２１の外周に固定されている。ＤＣモータ１２３は、回転筒１１６を回転駆動させる。ＤＣモータ１２３は、アクチュエータの一例である。このようなアクチュエータとしては、例えば、ＤＣモータ、ステッピングモータ、圧電素子を用いた超音波モータなどを用いることができる。
なお、ベース部材１２０の詳細構成については後述する。
【００１７】
（撮像素子ユニット１３０）
撮像素子ユニット１３０は、ベース部材１２０の後側に配置されている。図３に示すように、撮像素子ユニット１３０は、支持板１３１と、撮像素子１３２と、を有する。
支持板１３１は、撮像素子１３２を支持している。支持板１３１は、ベース部材１２０の後面に固定される。
【００１８】
撮像素子１３２は、光学系Ｌにより形成される被写体の光学像を撮像することによって画像データを生成する。撮像素子１３２としては、例えばＣＭＯＳイメージセンサやＣＣＤイメージセンサなどを用いることができる。
（モータユニット１４０）
モータユニット１４０は、一対のビス１４０ａによって固定枠１１５の側面に固定されている。モータユニット１４０は、図３に示すように、ステッピングモータ１４１と、フレキシブル基板１４２と、を有する。
【００１９】
ステッピングモータ１４１は、移動枠１１４を光軸方向に駆動させる。具体的には、ステッピングモータ１４１のリードスクリュー（不図示）の回転に応じて、リードスクリューに係合された第４移動枠１１４が前後に駆動される。モータユニット１４０は、アクチュエータの一例である。このようなアクチュエータとしては、例えば、ＤＣモータ、ステッピングモータ、圧電素子を用いた超音波モータなどを用いることができる。
【００２０】
フレキシブル基板１４２は、表面および内部に配線が形成された樹脂基板である。フレキシブル基板１４２は、後述するように、ベース基板１２２とステッピングモータ１４１とに電気的に接続されている。フレキシブル基板１４２は、ベース基板１２２から入力される電気信号をステッピングモータ１４１に伝達する。
ここで、図４は、モータユニット１４０の構成を示す斜視図である。図４に示すように、フレキシブル基板１４２は、接続部１４２ａと、連通部１４２ｂと、によって構成されている。
【００２１】
接続部１４２ａは、薄板状に形成されている。接続部１４２ａは、フレキシブル基板１４２の後端部を構成しており、ステッピングモータ１４１の後端から後方に突出している。接続部１４２ａは、接続面Ｆと、４つの接続端子Ｇと、第１嵌合孔Ｓ１と、第２嵌合孔Ｓ２と、を有する。接続面Ｆは、接続部１４２ａの一主面である。４つの接続端子Ｇは、半田によって構成され、接続面Ｆ上に配置されている。第１嵌合孔Ｓ１および第２嵌合孔Ｓ２のそれぞれは、接続部１４２ａを貫通する。
【００２２】
連通部１４２ｂは、可撓性を有しており、接続部１４２ａよりも細い。連通部１４２ｂは、接続部１４２ａを揺動自在に支持している。連通部１４２ｂは、接続部１４２ａとステッピングモータ１４１とに連通し、接続部１４２ａとステッピングモータ１４１とを電気的に接続する。
なお、フレキシブル基板１４２の固定枠１１５への取付け工程については後述する。
【００２３】
《第３移動枠１１３の詳細構成》
次に、第３移動枠１１３の詳細構成について、図面を参照しながら説明する。図５は、第３移動枠１１３を前方から見た斜視図である。図６は、第３移動枠１１３を後方から見た斜視図である。
第３移動枠１１３は、枠本体３０と、支持壁３１と、ＦＰＣ（Flexible printed circuits）３２と、を有する。
【００２４】
枠本体３０は、コップ形の外形を有している。枠本体３０の内底面３０ａには、第３レンズ群ＬＧ３を嵌合するための嵌合孔３０Ｒが形成される。
支持壁３１は、図６に示すように、内底面３０ａに立設されている。支持壁３１は、前後方向（すなわち、光軸方向）に沿って配置される。支持壁３１は、枠本体３０から後方に突出する。
【００２５】
ＦＰＣ３２は、図５に示すように、補強板３２ａと、固定部３２ｂと、連結部３２ｃと、によって構成される。補強板３２ａ、固定部３２ｂおよび連結部３２ｃの表面および内部には配線が形成されている。
補強板３２ａは、支持壁３１よりも後方に位置する自由端である。固定部３２ｂは、支持壁３１の外面に固定されている。固定部３２ｂは、補強板３２ａよりも枠本体３０の近くに位置する。連結部３２ｃは、補強板３２ａと固定部３２ｂとに連結されている。連結部３２ｃは、補強板３２ａよりも高い柔軟性を有し、前方に向かって突形状を成す湾曲部３２Ｓを含んでいる。連結部３２ｃは、湾曲部３２Ｓにおいて緩やかに折れ曲がっている。
【００２６】
ここで、図６に示すように、補強板３２ａの幅ｖａは、連結部３２ｃの幅ｖｂよりも大きい。これにより、補強板３２ａの前端には、連結部３２ｃの両側に突出する一対の肩部３２Ｔが形成されている。
なお、図示しないが、第３移動枠１１３は、シャッター機構、像ブレ補正機構および絞り機構を内蔵しており、各機構のアクチュエータがＦＰＣ３２に電気的に接続されている。また、後述するように、ＦＰＣ３２は、ベース基板１２２に接続され、ベース基板１２２から入力される電気信号を各機構のアクチュエータに伝達する。これによって、シャッター動作、像ブレ補正動作および絞り動作が実行される。
【００２７】
《固定枠１１５の詳細構成》
次に、固定枠１１５の詳細構成について、図面を参照しながら説明する。図７は、固定枠１１５を後方から見た斜視図である。
固定枠１１５は、筒状部５０と、筒状部５０の前端に連なるフランジ部５１と、を有する。
【００２８】
筒状部５０は、円筒状に形成されており、内部に第２移動枠１１２、第３移動枠１１３および第４移動枠１１４を収容する空間を形成している。筒状部５０は、支持台５０ａと、切り欠き５０ｂと、係合部５０ｃと、を有する。
支持台５０ａは、筒状部５０の後端部に形成される。支持台５０ａは、モータユニット１４０が有するフレキシブル基板１４２のうち接続部１４２ａを支持するために設けられている。支持台５０ａは、第１支持ボスＴ１および第２支持ボスＴ２を有する。第１及び第２支持ボスＴ１，Ｔ２それぞれは、円柱状に形成されている。第１及び第２支持ボスＴ１，Ｔ２それぞれの外径は、フレキシブル基板１４２の接続部１４２ａが有する第１及び第２嵌合孔Ｓ１，Ｓ２の孔径に対応する。
【００２９】
本実施形態において、第１及び第２支持ボスＴ１，Ｔ２は、後述するように、ベース部材１２０に形成される貫通孔１２７の内側に配置される（図２４参照）。第１及び第２支持ボスＴ１，Ｔ２と貫通孔１２７との位置関係については、レンズ鏡筒１００の組み立て工程の説明において合わせて説明する。
切り欠き５０ｂは、支持台５０ａに隣接して設けられている。切り欠き５０ｂには、後述するように、モータユニット１４０が有するフレキシブル基板１４２の連通部１４２ｂが差し込まれる。
【００３０】
係合部５０ｃは、筒状部５０の後端部に形成される。ここで、図８は、図７の矢印Ｐから見た固定枠１１５の部分拡大図である。図８に示すように、係合部５０ｃは、筒状部５０の後端面５０Ｓ（すなわち、ベース部材１２０と対向する端面）に形成されている。
係合部５０ｃは、スリット５００と、スリット開口部５１０と、第１乃至第４突起５０１〜５０４と、を有する。スリット５００は、筒状部５０の後端面５０Ｓに形成される矩形状の穴（切り込み）である。スリット開口部５１０は、スリット５００から筒状部５０の内部に開口する。スリット５００の幅ｗａは、スリット開口部５１０の幅ｗｂよりも広い。スリット５００の幅ｗａは、ＦＰＣ３２の補強板３２ａの幅ｖａ（図６参照）よりも広く、スリット開口部５１０の幅ｗｂは、ＦＰＣ３２の連結部３２ｃの幅ｖｂ（図６参照）よりも広い。第１乃至第４突起５０１〜５０４は、スリット５００内に配置される。第１突起５０１は、第２突起５０２の斜め向かいに配置され、第３突起５０３は、第４突起５０４の斜め向かいに配置される。第１及び第２突起５０１,５０２と第３及び第４突起５０３,５０４とのそれぞれは、ＦＰＣ３２の一対の肩部３２Ｔ（図８において破線で示されている）それぞれを撓ませた状態で把持する。
【００３１】
《ベース部材１２０の詳細構成》
次に、ベース部材１２０の詳細構成について、図面を参照しながら説明する。図９は、ベース部材１２０を前方から見た斜視図である。図１０は、ベース部材１２０を後方から見た斜視図である。
ベース部材１２０は、図９および図１０に示すように、上述した蓋本体１２１とベース基板１２２とＤＣモータ１２３とに加えて、環バネ１２４とガイド壁１２５とガイド孔１２６と貫通穴１２７とを有する。
【００３２】
蓋本体１２１は、図９及び図１０に示すように、内底面１２１Ａと、内周面１２１Ｂと、外表面１２１Ｃと、外周面１２１Ｄと、を有する。内底面１２１Ａは、レンズ筐体１１０の後端面と対向する。内周面１２１Ｂは、レンズ筐体１１０の後端部外周を取り囲む。外表面１２１Ｃは、内底面１２１Ａの反対に設けられる。外周面１２１Ｄは、内周面１２１Ｂの反対に設けられる。
【００３３】
環バネ１２４は、平板状の金属部材によって形成される。環バネ１２４は、蓋本体１２１の内底面１２１Ａ上において内周面１２１Ｂに沿って配置される。環バネ１２４は、回転筒１１６を前方に付勢することによって、レンズ筐体１１０のがたつきを低減させるための付勢部材である。
ガイド壁１２５は、内底面１２１Ａ上に立設されている。ガイド壁１２５は、内周面１２１Ｂに近接した位置で前後方向に沿って配置されている。ガイド壁１２５の機能については後述する。
【００３４】
ガイド孔１２６は、光軸方向に沿って形成されている。具体的に、ガイド孔１２６は、光軸方向に沿って、内底面１２１Ａから外表面１２１Ｃまで蓋本体１２１を貫通している。ガイド孔１２６は、内底面１２１Ａの平面視において、環バネ１２４とガイド壁１２５との間に形成されている。ガイド孔１２６には第３移動枠１１３のＦＰＣ３２が挿通されるので、ガイド孔１２６はＦＰＣ３２を挿通可能なサイズ及び形状を有していればよい。
【００３５】
貫通孔１２７は、光軸方向に沿って形成されている。具体的に、貫通孔１２７は、光軸方向に沿って、内底面１２１Ａから外表面１２１Ｃまで蓋本体１２１を貫通している。貫通孔１２７は、内底面１２１Ａの平面視において、環バネ１２４の内側に形成されている。貫通孔１２７の平面形状は、フレキシブル基板１４２が有する接続部１４２ａの外形に対応する。ただし、貫通孔１２７は、接続部１４２ａの４つの接続端子Ｇ（図４参照）にアクセス可能なサイズ及び形状を有していればよく、接続部１４２ａの接続面Ｆの外形よりも小さくてもよい。
【００３６】
ここで、ベース基板１２２は、図１０に示すように、被接続部１２２ａと、カバー部１２２ｂと、コネクタ部１２２ｃと、を有する。
被接続部１２２ａは、薄板状に形成されている。被接続部１２２ａは、貫通孔１２７内に配置され、貫通孔１２７を概ね覆う。被接続部１２２ａは、４つの被接続端子Ｊと、接続窓Ｋと、第１嵌合孔Ｕ１と、第２嵌合孔Ｕ２と、を有する。４つの被接続端子Ｊは、半田によって構成され、接続窓Ｋの周囲に配置されている。接続窓Ｋは、被接続部１２２ａを貫通する窓である。接続窓Ｋは、フレキシブル基板１４２が有する接続部１４２ａの４つの接続端子Ｇ（図４参照）に対応するサイズ及び形状を有していればよい。第１嵌合孔Ｕ１および第２嵌合孔Ｕ２それぞれは、被接続部１２２ａを貫通する。第１及び第２嵌合孔Ｕ１，Ｕ２は、フレキシブル基板１４２が有する接続部１４２ａの第１及び第２嵌合孔Ｓ１，Ｓ２に対応して形成されている。
【００３７】
カバー部１２２ｂは、ガイド孔１２６を塞ぐためのカバーである。カバー部１２２ｂでガイド孔１２６を塞ぐことによって、レンズ筐体１１０内部へのゴミなどの侵入が抑制される。
コネクタ部１２２ｃは、ベース部材１２０の外周に配置されている。コネクタ部１２２ｃには、ＦＰＣ３２の補強板３２ａが連結される。
【００３８】
《レンズ鏡筒１００の組み立て工程》
次に、レンズ鏡筒１００の組み立て工程について、図面を参照しながら説明する。以下においては、（１）固定枠１１５への第３移動枠１１３および第４移動枠１１４の組み付け、（２）固定枠１１５へのモータユニット１４０の組み付け、（３）回転筒１１６への固定枠１１５の組み付け、（４）固定枠１１５へのベース部材１２０の組み付け、（５）ベース基板１２２へのＦＰＣ３２の接続、（６）ベース基板１２２へのフレキシブル基板１４２の接続、（７）固定枠１１５への第１移動枠１１１および第２移動枠１１２の組み付け、の順番に説明する。
【００３９】
（１）固定枠１１５への第３移動枠１１３および第４移動枠１１４の組み付け
まず、図１１に示すように、固定枠１１５の後方から第３移動枠１１３を固定枠１１５の内部に挿入する。この際、第３移動枠１１３のＦＰＣ３２の位置を、固定枠１１５の係合部５０ｃの位置に合わせておく。
次に、図１２に示すように、ＦＰＣ３２の補強板３２ａを係合部５０ｃのスリット５００に挿入するとともに、ＦＰＣ３２の連結部３２ｃを係合部５０ｃのスリット開口部５１０から固定枠１１５の内側に引き込む。この際、補強板３２ａの一対の肩部３２Ｔそれぞれは、スリット５００の内部で第１乃至第４突起５０１〜５０４によって撓んだ状態で把持される（図８参照）。
【００４０】
次に、図１３に示すように、固定枠１１５の後方から第４移動枠１１４を固定枠１１５の内部に挿入する。
（２）固定枠１１５へのモータユニット１４０の組み付け
次に、図１４に示すように、一対のビス１４０ａによってモータユニット１４０を固定枠１１５の側面に固定する。この際、図１５に示すように、フレキシブル基板１４２の連通部１４２ｂを固定枠１１５の切り欠き５０ｂに差し込むとともに、フレキシブル基板１４２の接続部１４２ａを固定枠１１５の後方に突出させる。
【００４１】
次に、図16に示すように、フレキシブル基板１４２を連通部１４２ｂにおいて折り曲げて、フレキシブル基板１４２が有する接続部１４２ａの第１及び第２嵌合孔Ｓ１，Ｓ２を、固定枠１１５の支持台５０ａが有する第１及び第２支持ボスＴ１，Ｔ２に嵌合する。これによって、フレキシブル基板１４２の接続部１４２ａが、支持台５０ａ上において、第１及び第２支持ボスＴ１，Ｔ２によって支持される。
【００４２】
（３）回転筒１１６への固定枠１１５の組み付け
次に、図1７に示すように、回転筒１１６の前方から固定枠１１５を回転筒１１６の内部に挿入する。この際、第３移動枠１１３の補強板３２ａは、回転筒１１６の後方に突出し、フレキシブル基板１４２の接続部１４２ａは、回転筒１１６の後端から露出する。
（４）固定枠１１５へのベース部材１２０の組み付け
次に、図１８に示すように、固定枠１１５の後方からベース部材１２０を回転筒１１６に嵌め込む。この際、第３移動枠１１３の補強板３２ａを、ベース部材１２０のガイド孔１２６に挿通させるとともに、フレキシブル基板１４２の接続部１４２ａを、ベース部材１２０が有するベース基板１２２の被接続部１２２ａに対向させる。
【００４３】
次に、図１９に示すように、複数のビス１２０ａによって、ベース部材１２０を固定枠１１５に固定する。以上により、組立体１００ａが完成する。組立体１００ａでは、ＦＰＣ３２の補強板３２ａがガイド孔１２６から突出し、フレキシブル基板１４２の接続部１４２ａとベース基板１２２の被接続部１２２ａとが貫通孔１２７の内側で互いに対向している。
【００４４】
ここで、図２０は、組立体１００ａの断面図である。図２０に示すように、ＦＰＣ３２は、全体として前方に向かって突形状に撓んだ状態で、第３移動枠１１３と固定枠１１５との間に挟まれている。具体的に、補強板３２ａは、固定枠１１５の係合部５０ｃに係合され、固定部３２ｂは第３移動枠１１３の支持壁３１に固定されている。そして、連結部３２ｃは、固定枠１１５の内壁と第３移動枠１１３の支持壁３１との間に形成される湾曲部３２Ｓにおいて緩やかに折り曲げられている。また、連結部３２ｃは、補強板３２ａの近傍において、固定枠１１５の内壁とベース部材１２０のガイド壁１２５とに挟まれている。
【００４５】
（５）ベース基板１２２へのＦＰＣ３２の接続
次に、図２１に示すように、補強板３２ａをガイド孔１２６から引っ張り出してベース基板１２２のコネクタ部１２２ｃに差し込む。これによって、ＦＰＣ３２がベース基板１２２に電気的かつ機械的に接続される。
次に、ベース基板１２２のカバー部１２２ｂによって、ベース部材１２０のガイド孔１２６を覆う。
【００４６】
ここで、図２２は、組立体１００ａの断面図である。図２２に示すように、補強板３２ａがガイド孔１２６から引っ張り出された後においても、連結部３２ｃは、湾曲部３２Ｓ’において緩やかに折り曲げられている。湾曲部３２Ｓ’は、湾曲部３２Ｓ（図２０参照）よりも後方に位置しているが、湾曲部３２Ｓと同様に固定枠１１５の内壁と第３移動枠１１３の支持壁３１との間に形成されている。
【００４７】
なお、図２２は、完成後のレンズ鏡筒１００のテレズーム状態に対応している。
（６）ベース基板１２２へのフレキシブル基板１４２の接続
次に、図２３に示すように、フレキシブル基板１４２の接続部１４２ａが有する４つの接続端子Ｇを被接続部１２２ａの接続窓Ｋから露出させて、被接続部１２２ａが有する４つの被接続端子Ｊの位置に合わせる。これによって、フレキシブル基板１４２とベース基板１２２との電気的接続部（すなわち、各接続端子Ｇと各被接続端子Ｊ）は、光軸方向から見た場合に、貫通孔１２７の内側に位置することとなる。なお、本実施形態では、貫通孔１２７を光軸方向から見ることは、外表面１２１Ｃを平面視することと同義である。
【００４８】
次に、各接続端子Ｇを各被接続端子Ｊに半田接続する。これによって、フレキシブル基板１４２がベース基板１２２に電気的かつ機械的に接続される。
ここで、図２４は、図２３に示す組立体１００ａからベース基板１２２を取り外した状態を示す平面図である。図２４に示すように、４つの接続端子Ｇは、光軸方向から見た場合に、貫通孔１２７の内側に配置されている。また、フレキシブル基板１４２の接続部１４２ａを支持する第１及び第２支持ボスＴ１，Ｔ２は、光軸方向から見た場合に、貫通孔１２７の内側に配置されている。また、接続部１４２ａの接続面Ｆの略全体は、光軸方向から見た場合に、貫通孔１２７の内側に配置されている。
【００４９】
また、図２４に示すように、貫通孔１２７は、外表面１２１Ｃの平面視において、環バネ１２４の内側に形成されている。そのため、貫通孔１２７の内側に露出する接続部１４２ａも環バネ１２４の内側に配置される。
さらに、図２４に示すように、係合部５０ｃ（具体的には、スリット５００）は、光軸方向から見た場合に、ガイド孔１２６の内側に配置されている。ガイド孔１２６は、外表面１２１Ｃの平面視において、環バネ１２４の内側に形成されており、係合部５０ｃは、環バネ１２４の内側に配置される。
【００５０】
（７）固定枠１１５への第１移動枠１１１および第２移動枠１１２の組み付け
次に、組立体１００ａの前方から第２移動枠１１２を固定枠１１５の内部に挿入する（図３参照）。
次に、組立体１００ａの前方から第１移動枠１１１を回転筒１１６の前端に嵌め合わせる。
【００５１】
次に、ＤＣモータ１２３によって回転筒１１６を回転駆動させることによって、図２５に示すように、第１移動枠１１１、第２移動枠１１２および第３移動枠１１３を沈胴させる。
その後、図示しない撮像素子ユニット１３０をベース部材１２０の後側に固定して、レンズ鏡筒１００の組み立てが完了する。
【００５２】
ここで、図２６は、沈胴状態におけるレンズ鏡筒１００の断面図である。図２６に示すように、沈胴状態においても、ＦＰＣ３２の連結部３２ｃは、湾曲部３２Ｓ”において緩やかに折り曲げられている。湾曲部３２Ｓ”は、湾曲部３２Ｓ’（図２２参照）よりも後方に位置しているが、湾曲部３２Ｓ’と同様に固定枠１１５の内壁と第３移動枠１１３の支持壁３１との間に形成されている。また、連結部３２ｃの一部は、固定枠１１５の内壁とベース部材１２０のガイド壁１２５との間に挟まれている。このように、ＦＰＣ３２は、一度だけ緩やかに折り曲げられているだけであり、折り重なったり捻れたりしていない。
【００５３】
《作用及び効果》
（１）本実施形態に係るレンズ鏡筒１００において、フレキシブル基板１４２は、４つの接続端子Ｇ（「接続端子」の一例）を有する。ベース部材１２０（蓋部材の一例）は、光軸方向（「所定の方向」の一例）に沿って形成される貫通孔１２７（「貫通孔」の一例）を有する。４つの接続端子Ｇは、光軸方向から見た場合に、貫通孔１２７の内側に位置している。
【００５４】
従って、貫通孔１２７を介して４つの接続端子Ｇに容易にアクセスできるので、レンズ鏡筒１００の組み立て工程において、フレキシブル基板１４２を貫通孔１２７に通す作業を行うことなく、フレキシブル基板１４２とベース基板１２２との電気的接続を簡便に行うことができる。その結果、レンズ鏡筒１００の組み立て工程における作業効率を向上させることができる。
【００５５】
（２）４つの接続端子Ｇは、フレキシブル基板１４２の接続部１４２ａ（「一端部」の一例）に形成されている。レンズ筐体１１０は、接続部１４２ａを支持する第１及び第２支持ボスＴ１，Ｔ２（「支持部」の一例）を有する。
従って、第１及び第２支持ボスＴ１，Ｔ２によって支持されているので、ベース部材１２０を固定枠１１５に組み付ける際に、フレキシブル基板１４２の端がベース部材１２０と固定枠１１５および回転筒１１６との間に過って挟まれることを抑制できる。
【００５６】
（３）ベース基板１２２の被接続部１２２ａは、貫通孔１２７を概ね覆っている。
従って、貫通孔１２７を介してレンズ筐体１１０の内部にゴミなどが入ることを抑制することができる。
（４）ベース部材１２０は、レンズ筐体１１０と対向する内底面１２１Ａ（「対向面」の一例）上に配置された環バネ１２４を有する。貫通孔１２７は、内底面１２１Ａの平面視において、環バネ１２４の内側に形成されている。
【００５７】
このように、フレキシブル基板１４２は、レンズ筐体１１０と環バネ１２４との間に挟まれていない。従って、フレキシブル基板１４２が、レンズ鏡筒１００の使用中において、レンズ筐体１１０と環バネ１２４との摩擦によって損傷することを抑制することができる。
（５）また、本実施形態に係るレンズ鏡筒１００において、固定枠１１５は、ベース部材１２０に対向する後端面５０Ｓに形成される係合部５０ｃを有する。ベース部材１２０は、ＦＰＣ３２が挿通されるガイド孔１２６を有する。係合部５０ｃは、光軸方向から見た場合に、ガイド孔１２６の内側に位置している。
【００５８】
従って、係合部５０ｃに係合されたＦＰＣ３２をガイド孔１２６に容易に挿通させることができるので、ガイド孔１２６からＦＰＣ３２を簡便に引き出すことができる。
また、ＦＰＣ３２を係合部５０ｃに係合させた状態でベース部材１２０を固定枠１１５に組み付けることができるので、ＦＰＣ３２がベース部材１２０と固定枠１１５および回転筒１１６との間に過って挟まれることを抑制できる。
【００５９】
（６）係合部５０ｃは、後端面５０Ｓに形成されるスリット５００である。
従って、ベース部材１２０を固定枠１１５に組み付けた後、係合部５０ｃによるＦＰＣ３２の係合を容易に解除することができる。
（７）係合部５０ｃは、スリット５００の内側に突出する第１乃至第４突起５０１〜５０４を有する。
【００６０】
従って、ＦＰＣ３２の補強板３２ａがスリット５００に挿入された場合、第１乃至第４突起５０１〜５０４が補強板３２ａに当接されることで生じる摩擦力によって、補強板３２ａを強固に支持することができる。
（８）第１突起５０１は、第２突起５０２の斜め向かいに配置され、第３突起５０３は、第４突起５０４の斜め向かいに配置されている。
【００６１】
従って、第１及び第２突起５０１,５０２と第３及び第４突起５０３,５０４とのそれぞれによってＦＰＣ３２を撓ませることができる。そのため、ＦＰＣ３２が折れ曲がることを抑制できるので、ＦＰＣ３２をガイド孔１２６に精度良く挿入することができる。
（９）ベース部材１２０は、蓋本体１２１の内底面に立設されたガイド壁１２５を有する。ＦＰＣ３２の連結部３２ｃは、補強板３２ａの近傍において、固定枠１１５の内壁とガイド壁１２５との間に挟まれている。
【００６２】
従って、レンズ筐体１１０が沈胴状態やテレズーム状態になった場合においても、ＦＰＣ３２が折り重なったり捻れたりすることを抑制できる。
［他の実施形態］
本発明の実施形態として、上記の実施形態を例示した。しかし、本発明はこれには限らない。そこで、本発明の他の実施形態を以下まとめて説明する。なお、本発明は、これらには限定されず、適宜修正された実施形態に対しても適用可能である。
【００６３】
（１）第１及び第２支持ボスＴ１，Ｔ２は、フレキシブル基板１４２を支持する支持部の一例である。フレキシブル基板１４２を支持する支持部は、たとえば、フレキシブル基板１４２を吸着するテープや磁石、フレキシブル基板１４２に係合するスリット等、どのような支持構造であってもよい。
（２）フレキシブル基板１４２は、レンズ筐体１１０の内部に含まれるどのような電子部品に接続されているものでもよい。たとえば、検出素子、モータ等に接続されているものや、回路基板に接続されているものでもよい。
【００６４】
（３）貫通孔１２７は、光軸方向に沿って蓋本体１２１を貫通するものでも、それ以外の方向に沿って蓋本体１２１を貫通するものでもよい。
（４）フレキシブル基板１４２とベース基板１２２との電気的接続は、半田による接続だけでなく、コネクタを用いた接続等、どのような接続でもよい。
（５）光学系Ｌは、プリズムやミラー等の折り曲げ光学系により、光軸が折れ曲がっているものでもよい。この場合、レンズ筐体１１０は、光軸に沿って折り曲げられていてもよい。
【００６５】
（６）係合部５０ｃは、ＦＰＣ３２を差し込むためのスリット５００を有することとしたが、これに限られるものではない。係合部５０ｃは、たとえば、ＦＰＣ３２を吸着するテープや磁石、ＦＰＣ３２に嵌合される突起等、どのような支持構造であってもよい。また、係合部５０ｃは、第３移動枠１１３、第４移動枠１１４或いは回転筒１１６など、固定枠１１５以外の部材に設けられていてもよい。
【００６６】
（７）ＦＰＣ３２は補強板３２ａを有することとしたが、これに限られるものではない。ＦＰＣ３２は、補強板３２ａを有さずに、全体的に柔軟性の高い材料によって構成されていてもよい。この場合においても、スリット５００内に突出する第１乃至第４突起５０１〜５０４によってＦＰＣ３２を撓ませることによって、ＦＰＣ３２をベース部材１２０に向かって立たせることができる。
【００６７】
（８）係合部５０ｃは、スリット５００内に突出する第１乃至第４突起５０１〜５０４によってＦＰＣ３２を撓ませることとしたが、これに限られるものではない。例えば、スリット５００自体を円弧状に形成することなどによっても、ＦＰＣ３２を撓ませることができる。
（９）ＦＰＣ３２は、スリット５００に挿入されることによって係合部５０ｃに係合されることとしたが、これに限られるものではない。係合部５０ｃは、例えば、ＦＰＣ３２を吸着するテープや磁石、ＦＰＣ３２の側端部を咬み込ませる切り欠きなど、どのような係合構造であってもよい。
【００６８】
（１０）フレキシブル基板１１１は、レンズ筐体１１０の内部に含まれるどのような電子部品に接続されているものでもよい。たとえば、検出素子、モータ等に接続されているものや、回路基板に接続されているものでもよい。
（１１）レンズ筐体１１０の外形は、円筒形に限らず、直方形やその他の形状であってもよい。また、レンズ筐体１１０は、光軸方向に開口することとしたが、光軸と交わる方向に開口していてもよい。
【００６９】
（１２）ベース基板１１２は、柔軟性を有することとしたが、柔軟性を有していなくてもよい。
（１３）フレキシブル基板１４２は、ベース部材１２０に固定された固定枠１１５に取り付けられることとしたが、これに限られるものではない。フレキシブル基板１４２は、ベース部材１２０に対して相対的に移動可能な部材に取り付けられていてもよい。このような部材としては、第１移動枠１１１、第２移動枠１１２、第３移動枠１１３、第４移動枠１１４或いは回転筒１１６が挙げられる。
【００７０】
（１４）４つの接続端子Ｇは、レンズ筐体１１０の内部に配置され、貫通孔１２７を介してアクセス可能であることとしたが、これに限られるものではない。
例えば、４つの接続端子Ｇは、貫通孔１２７からレンズ筐体１１０の外部に突出するように配置されていてもよい。この場合、固定枠１１５の支持台５０ａやフレキシブル基板１４２のうち接続部１４２ａなども貫通孔１２７から突出していてもよい。この場合、支持台５０ａと貫通孔１２７との隙間を狭くすることによって、貫通孔１２７を介してレンズ筐体１１０の内部にゴミなどが入ることを抑制できる。
【００７１】
ただし、上記実施形態のように、４つの接続端子Ｇがレンズ筐体１１０の内部に配置されることがより好ましい。それは、被接続部１２２ａと貫通孔１２７との隙間を減少させることによって、貫通孔１２７を介してレンズ筐体１１０の内部にゴミなどが入ることをより簡便に抑制できるからである。
（１５）貫通孔１２７は、光軸方向に沿って内底面１２１Ａから外表面１２１Ｃまで蓋本体１２１を貫通することとしたが、これに限られるものではない。例えば、図２７に示すように、貫通孔１２７は、外周面１２１Ｄから内周面１２１Ｂまで蓋本体１２１を貫通していてもよい。この場合、貫通孔１２７は、光軸方向と交差（直交）する方向に沿って形成されている。
【００７２】
（１６）４つの接続端子Ｇを含む接続部１４２ａは、フレキシブル基板１４２の後端部を構成することとしたが、これに限られるものではない。従って、フレキシブル基板１４２における接続部１４２ａの位置は、適宜変更可能である。
【産業上の利用可能性】
【００７３】
ここに開示された技術は、デジタルスチルカメラやデジタルビデオカメラ、アナログカメラ、フィルムカメラ、カメラ付き携帯電話端末、カメラ付き端末等に適用できる。
【符号の説明】
【００７４】
１００  レンズ鏡筒
１１０  レンズ筐体
１１１  第１移動枠
１１２  第２移動枠
１１３  第３移動枠
３２  ＦＰＣ
１１４  第４移動枠
１１５  固定枠
５０  筒状部
５０ａ  支持台
Ｔ１  第１支持ボス
Ｔ２  第２支持ボス
５０ｂ  切り欠き
５０ｃ  係合部
５００  スリット
５１０  スリット開口部
５０１〜５０４  第１乃至第４突起
１１６  回転筒
１２０  ベース部材
１２２  ベース基板
１２２ａ  被接続部
１２２ｂ  カバー部
１２２ｃ  コネクタ部
１２６  ガイド孔
１２７  貫通孔
１３０  撮像素子ユニット
１４０  モータユニット
１４１  ステッピングモータ
１４２  フレキシブル基板
１４２ａ  接続部
１４２ｂ  連通部
Ｌ  光学系
【図１】
0005909679.tif 000002
【図２】
0005909679.tif 000003
【図３】
0005909679.tif 000004
【図４】
0005909679.tif 000005
【図５】
0005909679.tif 000006
【図６】
0005909679.tif 000007
【図７】
0005909679.tif 000008
【図８】
0005909679.tif 000009
【図９】
0005909679.tif 000010
【図１０】
0005909679.tif 000011
【図１１】
0005909679.tif 000012
【図１２】
0005909679.tif 000013
【図１３】
0005909679.tif 000014
【図１４】
0005909679.tif 000015
【図１５】
0005909679.tif 000016
【図１６】
0005909679.tif 000017
【図１７】
0005909679.tif 000018
【図１８】
0005909679.tif 000019
【図１９】
0005909679.tif 000020
【図２０】
0005909679.tif 000021
【図２１】
0005909679.tif 000022
【図２２】
0005909679.tif 000023
【図２３】
0005909679.tif 000024
【図２４】
0005909679.tif 000025
【図２５】
0005909679.tif 000026
【図２６】
0005909679.tif 000027
【図２７】
0005909679.tif 000028